(57)【要約】【課題】フルハーネス安全帯の装着忘れをなくし、また、その損傷を容易に確認することの可能なつなぎ作業服を提供することを課題とする。【解決手段】上衣と下衣のつなぎ目にある腰回りに沿うように腰部支持帯を配置し、上衣１の前面から両肩部５を経て背面に沿うように肩部支持帯８を配置し、下衣２の両脚部６を取り巻くように脚部支持帯９を配置し、これらの腰部支持帯、肩部支持帯、および、脚部支持帯を、前記上衣および下衣に縫着して一体化してなる構成となっている。【選択図】図１
0003226663.tif 000002
【実用新案登録請求の範囲】
【請求項１】
作業者の腰回りに沿って装着される腰部支持帯、胸から両肩を経て背中に沿って装着される肩部支持帯、太もも回りに沿って装着される脚支持帯を備えたフルハーネス安全帯が装着されるつなぎ作業服であって、上衣と下衣のつなぎ目にある腰部回りに沿うように前記腰部支持帯を配置し、上衣の前面から両肩部を経て背面に沿うように前記肩部支持帯を配置し、下衣の両脚部を取り巻くように前記脚部支持帯を配置し、これらの腰部支持帯、肩部支持帯、および、脚部支持帯を、前記上衣および下衣に縫着して一体化してなることを特徴とするつなぎ作業服。
【考案の詳細な説明】
【技術分野】
【０００１】
本考案は、つなぎ作業服に関する。
【背景技術】
【０００２】
一般に、つなぎ作業服は上衣と下衣とが一つになっており、このつなぎ服を着た際に、作業服が作業者の体全体を覆うことや、余分な突出部がないことから、作業者が動きやすく、また、服内に外部から異物が入りにくく、あるいは、服が機械へ巻き込まれにくいといった利便性や安全性が高いことから広く用いられている。
【０００３】
そして、前述した利便性や安全性の高さから、高所作業や危険箇所での作業時にも使用される傾向にある。
【０００４】
ところで、高所作業や危険箇所での作業時には、作業者を落下等の事故から保護するために、フルハーネス安全帯を装着することが実施されている。
【０００５】
このフルハーネス安全帯は、作業者の上半身や腰部、および、脚部を支持するように構成されていることから、作業者が装着した場合、これらの各部位が作業者の皮膚に接触してしまことから、作業服の上から装着することが多く（特許文献１参照）、特に、作業者のほぼ全身を覆うつなぎ作業服と合わせて使用されることが多い。
【先行技術文献】
【特許文献】
【０００６】
【特許文献１】特開２０１９−１５０２６７号公報
【考案の概要】
【考案が解決しようとする課題】
【０００７】
しかしながら、フルハーネス安全帯を装着しなければならない作業条件下において、この安全帯を装着し忘れることが想定される。
このような不具合は、作業の安全管理上、避けなければならない重要事項である。
【０００８】
また、前記フルハーネス安全帯はその使用形態から損傷しやすく、定期的な保守点検が必要であるが、あまり実践されていないのが現状である。
【０００９】
本考案は、前述した従来の技術において残されている不具合に鑑みてなされたもので、フルハーネス安全帯をつなぎ作業服と合わせて使用する際に、フルハーネス安全帯の装着忘れをなくし、また、その損傷を容易に確認することの可能なつなぎ作業服を提供することを課題とする。
【課題を解決するための手段】
【００１０】
本考案のつなぎ作業服は、前述した課題を解決するために、作業者の腰回りに沿って装着される腰部支持帯、胸から両肩を経て背中に沿って装着される肩部支持帯、太もも回りに沿って装着される脚支持帯を備えたフルハーネス安全帯が装着されるつなぎ作業服であって、上衣と下衣のつなぎ目にある腰部回りに沿うように前記腰部支持帯を配置し、上衣の前面から両肩部を経て背面に沿うように前記肩部支持帯を配置し、下衣の両脚部を取り巻くように前記脚部支持帯を配置し、これらの腰部支持帯、肩部支持帯、および、脚部支持帯を、前記上衣および下衣に縫着して一体化してなることを特徴としている。
【００１１】
このような構成とすることにより、作業者は、つなぎ作業服の下衣の脚部に両足を入れた後に上衣によって上半身を覆うことにより、このつなぎ作業服を着ることができる。
【００１２】
ここで、つなぎ作業服の表面には、フルハーネス安全帯が一体に装着されていることから、つなぎ作業服を着た時点で、フルハーネス安全帯を装着することとなる。
【００１３】
しがたって、フルハーネス安全帯を装着しなければならない現場においても、その装着を忘れることがない。
【００１４】
そして、作業の際に、つなぎ作業服は作業現場の作業対象物等と接触し易いため、フルハーネス安全帯よりも速く損傷しやすい。
【００１５】
したがって、つなぎ作業服の損傷や汚れ等のチェックは頻繁に行なわれるが、このチェック作業時に、フルハーネス安全帯のチェックも同時に行なわれる。
この結果、フルハーネス安全帯の安全性の確認が確実に行なわれて、その安全性を確保することができる。
【考案の効果】
【００１６】
本考案のつなぎ作業服によれば、フルハーネス安全帯をつなぎ作業服と合わせて使用する際に、フルハーネス安全帯の装着忘れをなくし、また、その損傷を容易に確認することを可能にする。
【図面の簡単な説明】
【００１７】
【図１】本考案の一実施形態に係るつなぎ作業服を着用した作業者の正面図である。
【考案を実施するための形態】
【００１８】
以下、本考案の一実施形態を、図１を参照して説明する。
図１において、符号Ｍは作業者を示し、本実施形態に係るつなぎ作業服Ｗを着用している。
【００１９】
つなぎ作業服Ｗは、上衣１と下衣２とがつなぎ合わされた構成となっており、そのつなぎ目が腰部３となされ、上衣１の前面には、この上衣１の前面を開閉するファスナー４が装着されている。
【００２０】
さらに、前記上衣１は、作業者の両肩を覆う肩部５を備え、下衣２は、作業者Ｍの両足が挿入される一対の脚部６を備えている。
【００２１】
そして、前記つなぎ作業服Ｗの表面にはフルハーネス安全帯Ｈが装着されている。
【００２２】
このフルハーネス安全帯Ｈは、つなぎ作業服Ｗの腰部３回りに沿うように配置された腰部支持帯７と、上衣１の前面から両肩部５を経て背面に沿うように配置された一対の肩部支持帯８と、下衣２の両脚部６の付け根部分を取り巻くように配置された脚部支持帯９を備え、これらの腰部支持帯７、肩部支持帯８、および、脚部支持帯９を、前記上衣および下衣に縫着（図中に、符号Ｓで縫い目を示した）により一体化されている。
【００２３】
前記腰部支持帯７は、その前方において切り離されており、その端部どうしをワンタッチファスナ等の連結具１０によって連結切り離し可能に接続されている。
【００２４】
また、それぞれの前記肩部支持帯８の一端部は、つなぎ作業服Ｗの前面において、腰部支持帯７のそれぞれの端部に連結され、かつ、途中の部位が、つなぎ作業服Ｗの背面において交差状態で連結され、さらに、各他端部が腰部支持帯７の後部に連結されている。
【００２５】
さらに、前記両肩部支持帯８は、上衣１の前面において、連結帯１１によって相互に連結されて幅方向の広がりが防止されている。
【００２６】
そして、前記連結帯１１は、その中間部において切り離されて、ワンタッチファスナ等の連結具１２によって連結切り離し可能に接続されている。
【００２７】
このような構成とすることにより、作業者Ｍは、つなぎ作業服Ｗの下衣２の脚部６に両足を入れた後に上衣１によって上半身を覆うことにより、このつなぎ作業服Ｗを着ることができる。
【００２８】
ここで、つなぎ作業服Ｗの表面には、フルハーネス安全帯Ｈが一体に装着されていることから、つなぎ作業服Ｗを着た時点で、フルハーネス安全帯Ｈを装着することとなる。
【００２９】
しがたって、フルハーネス安全帯Ｈを装着しなければならない現場においても、その装着を忘れることがない。
【００３０】
そして、作業の際に、つなぎ作業服Ｗは作業現場の作業対象物等と接触し易いため、フルハーネス安全帯よりも速く損傷しやすい。
【００３１】
したがって、つなぎ作業服Ｗの損傷や汚れ等のチェックは頻繁に行なわれるために、このチェック作業時に、フルハーネス安全帯Ｈのチェックも同時に行なうことができる。
この結果、フルハーネス安全帯Ｈの安全性の確認を確実に行なって、その安全性を確保することができる。
【００３２】
なお、前記実施形態において示した各構成部材の諸形状や寸法等は一例であって、設計要求等に基づき種々変更可能である。
【符号の説明】
【００３３】
１  上衣
２  下衣
３  腰部
４  ファスナー
５  肩部
６  脚部
７  腰部支持帯
８  肩部支持帯
９  脚部支持帯
１０  連結具
１１  連結帯
１２  連結具
Ｈ  フルハーネス安全帯
Ｍ  作業者
Ｓ  縫い目
Ｗ  つなぎ作業服
【図１】
0003226663.tif 000003